(57)【要約】【課題】  光電素子を用いた非接触型センサが天井側に配置された蛍光灯等の外部光源からの光によって誤作動することを防止することができ、これによって遊技者の意図しない所定のパチンコ遊技の誤動作を防止すること。【解決手段】  遊技盤１１に配設された非接触型センサ１５に加え、非接触型センサ１５の前方のガラスカバー２５に透明ガラスタッチパネル等の接触型センサ３１を配設し、即ち、遊技者の手１９が接触型センサ３１に触れた際に、同時に非接触型センサ１５に手１９をかざした状態となるように双方のセンサ１５，３１を配設することによって、双方のセンサ１５，３１が検知状態となった時のみにスイッチング動作を行うようにする。【選択図】      図２
2005185363.tif 000002
【特許請求の範囲】
【請求項１】
光を発光して放射し、この放射方向にかざされた光の反射手段で光が反射された際に、この反射光を受光することにより検知状態となる非接触型センサ及び、遊技者の手が触れた際に検知状態となる接触型センサの何れか一方を用いたパチンコ機の操作用センサにおいて、
前記接触型センサとして透明の接触型センサと、前記非接触型センサとの双方のセンサを用い、遊技者の手が前記透明の接触型センサに触れた際に、この手が前記非接触型センサにかざされた状態となるように双方のセンサをパチンコ機に配設し、
双方のセンサが検知状態となった一致時にのみにスイッチング動作を行う一致回路
を備えたことを特徴とするパチンコ機の操作用センサ。
【発明の詳細な説明】
【技術分野】
【０００１】
本発明は、遊技盤の前面に配設される接触型センサや非接触型センサ等のパチンコ機の操作用センサに関し、例えば操作用センサが非接触型センサであれば当該センサに手をかざすことによりスイッチング動作を行わせ、この動作によって画面に表示動作中の図柄を停止させるといったパチンコ遊技の操作を遊技者が任意に行うことを可能とするパチンコ機の操作用センサに関する。
【背景技術】
【０００２】
従来からパチンコ機においては、遊技に変化を持たせるために遊技者がスイッチを操作する構成が採られている。このようなスイッチである操作用センサとして、例えば遊技盤において遊技者が操作し易い位置に配設された接触型のタッチセンサや、光電素子を用いた非接触型センサがある。これらのセンサは、一般的に遊技盤の画面に表示動作中の図柄を停止させる目的で設けられている。
【０００３】
タッチセンサは、遊技者が当該センサを手で直接触れたことを検知するものであり、この検知によって動作中の図柄が停止するようになっている。
非接触型センサは、当該センサの前方を遊技者が手をかざすことによって、上記同様に動作中の図柄を停止させるためのものであり、例えば図４に示すように取り付けられている。即ち、パチンコ機の遊技盤１１の前面左隅の領域に、非接触型センサを取り付けるためのベース１３が配設され、このベース１３に非接触型センサ１５が固定されている。
【０００４】
この非接触型センサ１５は、図５に示す遊技盤１１の非接触型センサ１５部分の断面図に破線矢印で示すように、発光素子１５ａから光を発光して外部へ放射しており、この放射光が手１９で反射されると、この反射光を受光素子１５ｂで受光することによってスイッチング動作（スイッチオン）するようになっている。このスイッチング動作によって、図柄の動作が停止する。
この種の従来のパチンコ機として、例えば特許文献１に記載のものがある。
【特許文献１】特願２００２−３２８７６３号公報
【発明の開示】
【発明が解決しようとする課題】
【０００５】
ところで、従来のパチンコ機においては、パチンコ店に遊技盤１１を設置する際に、図６に示すように、遊技盤１１の盤面１１ａを、水平な床面に垂直な垂直線２１に対して所定角度θ＝約１度で交わるように傾け、この斜め上向きに傾けることによって盤面１１ａを球が流下するように設置される。
しかし、このように盤面１１ａが斜め上向きとなるように設置されると、盤面１１ａに固定された非接触型センサ１５の発光／受光面１５ｄも同様に斜め上向きとなるので、天井２２に固定（又は天井２２側に配設）されている蛍光灯２３からの破線矢印で示す光が、発光／受光面１５ｄに受光状態となりやすい角度で入射される。このため、非接触型センサ１５が蛍光灯２３の光を受光し易くなって誤作動するという問題がある。
【０００６】
また、図柄が動作中の場合に、遊技者が手をかざしていないにも関らず非接触型センサ１５が上記のように誤作動すると、遊技者の意図に反して動作中の図柄が停止してしまうなど、所定のパチンコ遊技の誤動作が生じる問題がある。
本発明は、このような課題に鑑みてなされたものであり、光電素子を用いた非接触型センサが天井側に配置された蛍光灯等の外部光源からの光によって誤作動することを防止することができ、これによって遊技者の意図しない所定のパチンコ遊技の誤動作を防止することができるパチンコ機の操作用センサを提供することを目的としている。
【課題を解決するための手段】
【０００７】
上記目的を達成するために、本発明の請求項１によるパチンコ機の操作用センサは、光を発光して放射し、この放射方向にかざされた光の反射手段で光が反射された際に、この反射光を受光することにより検知状態となる非接触型センサ及び、遊技者の手が触れた際に検知状態となる接触型センサの何れか一方を用いたパチンコ機の操作用センサにおいて、前記接触型センサとして透明の接触型センサと、前記非接触型センサとの双方のセンサを用い、遊技者の手が前記透明の接触型センサに触れた際に、この手が前記非接触型センサにかざされた状態となるように双方のセンサをパチンコ機に配設し、双方のセンサが検知状態となった一致時にのみにスイッチング動作を行う一致回路を備えたことを特徴としている。
【０００８】
この構成によれば、非接触型センサに反射手段がかざされていない状態、つまり接触型センサにも手が触れていない状態では、双方のセンサが未検知状態なので、一致回路がスイッチング動作しない。この状態において、非接触型センサで外部光源からの光が受光された場合、非接触型センサは検知状態となるが、接触型センサが未検知状態なので、やはり一致回路はスイッチング動作しない。つまり、操作用センサの一構成要素である非接触型センサが、外部光源の光を受光しても誤作動が生じない。
【発明の効果】
【０００９】
以上説明したように本発明によれば、光電素子を用いた非接触型センサが天井側に配置された蛍光灯等の外部光源からの光によって誤作動することを防止することができ、これによって遊技者の意図しない所定のパチンコ遊技の誤動作を防止することができるという効果がある。
【発明を実施するための最良の形態】
【００１０】
以下、本発明の実施の形態を、図面を参照して説明する。但し、本明細書中の全図において相互に対応する部分には同一符号を付し、重複部分においては後述での説明を適時省略する。
（実施の形態）
図１は、本発明の実施の形態に係るパチンコ機の操作用センサの遊技盤への取り付け状態を示す正面図、図２は、その操作用センサ部分の断面図である。
【００１１】
図１及び図２に示す操作用センサ３０は、従来例で図４を参照して説明したように遊技盤１１に配設された非接触型センサ１５に加え、非接触型センサ１５の前方のガラスカバー２５に透明ガラスタッチパネル等の接触型センサ３１を配設し、即ち、遊技者の手（反射手段）１９が接触型センサ３１に触れた際に、同時に非接触型センサ１５に手１９をかざした状態となるように双方のセンサ１５，３１を配設することによって、双方のセンサ１５，３１が検知状態となった時のみにスイッチング動作を行うように構成した点に特徴がある。
このようなスイッチング動作を行う操作用センサ３０の回路は、図３に示すように、非接触型センサ１５及び接触型センサ３１の双方の信号出力側に、論理積回路などの一致回路３２を接続し、双方のセンサ１５，３１が検知状態となって「Ｈ」レベルの信号を出力した場合のみに、オン信号を出力する構成となっている。
【００１２】
このような構成の操作用センサ３０の動作を説明する。
図２に破線矢印で示すように、発光素子１５ａの発光によって光が放射されている際に、接触型センサ３１に遊技者がタッチされると、接触型センサ３１が検知状態となる。この際同時に、非接触型センサ１５の前方に手１９がかざされた状態となるので、その手１９で光が反射され、この反射光が受光素子１５ｂで受光され、受光素子１５ｂも検知状態となる。
【００１３】
双方のセンサ１５，３１が検知状態となることによって「Ｈ」レベルの信号が一致回路３２へ出力されるので、一致回路３２からオン信号が出力される。そして、そのオン信号によって従来例で説明したように、画面に表示動作中の図柄が停止される。つまり、接触型センサ３１に手１９をタッチすることによって、画面に表示動作中の図柄が停止される。
また、手１９が接触型センサ３１に触れておらず、非接触型センサ１５の前方にかざされた状態の場合は、非接触型センサ１５は検知状態となるが、接触型センサ３１は未検知状態なので、一致回路３２からオン信号は出力されない。
【００１４】
更に、非接触型センサ３０に手１９がかざされていない状態、つまり接触型センサ３１にもタッチされていない状態では、双方のセンサ１５，３１が未検知状態なので、一致回路３２からオン信号は出力されない。この状態において、受光素子１５ｂで蛍光灯からの光が受光されたとする。この場合、非接触型センサ１５は検知状態となるが、接触型センサ３１が未検知状態なので、やはり一致回路３２からオン信号は出力されない。この場合、画面に表示動作中の図柄は動作中のままとなる。
【００１５】
このように、本実施の形態のパチンコ機の操作用センサ３０によれば、遊技者の手１９が透明の接触型センサ３１に触れた際に、この手１９が非接触型センサ１５にかざされた状態となるように双方のセンサ１５，３１を配設し、双方のセンサ１５，３１が検知状態となった時のみにスイッチング動作を行うようにしたので、蛍光灯等の外部光源の光が非接触型センサ１５で受光された場合でも、スイッチオンとならない。
つまり、操作用センサ３０の一構成要素である非接触型センサ１５が、外部光源の光を受光しても誤作動が生じないので、従来のような非接触型センサ１５の誤作動による遊技者の意図に反した図柄動作の停止など、パチンコ遊技の誤動作を防止することができる。
【図面の簡単な説明】
【００１６】
【図１】本発明の実施の形態に係るパチンコ機の操作用センサの遊技盤への取り付け状態を示す正面図である。
【図２】上記実施の形態に係るパチンコ機の操作用センサ部分の断面図である。
【図３】上記実施の形態に係るパチンコ機の操作用センサの回路構成を示すブロック図である。
【図４】従来のパチンコ機の遊技盤における非接触型センサの取り付け位置を示す正面図である。
【図５】従来の遊技盤における非接触型センサ部分の断面図である。
【図６】従来のパチンコ機を設置した際の非接触型センサの発光／受光面が向く方向を示す側面図である。
【符号の説明】
【００１７】
１１  遊技盤
１１ａ  盤面
１３  ベース
１５，３０，５０  非接触型センサ
１５ａ  発光素子
１５ｂ  受光素子
１５ｄ  発光／受光面
１９  手
２１  垂直線
２２  天井
２３  蛍光灯
２５  ガラスカバー
３０  操作用センサ
３１  接触型センサ
３２  一致回路
【図１】
2005185363.tif 000003
【図２】
2005185363.tif 000004
【図３】
2005185363.tif 000005
【図４】
2005185363.tif 000006
【図５】
2005185363.tif 000007
【図６】
2005185363.tif 000008